Podtech/llm-jp-corpus-v4-ja_patent huggingface dataset:
(57)【要約】【課題】  指輪を手指から取り外して洗面台あるいは化粧台等の台上に置く場合に、安定した姿勢で載置できるように、さらには、店頭における指輪のディスプレイ時においても簡単且つ多面的に展示しうる指輪を提供すること。【構成】  宝玉等を固定するトップ部と、指を挿通するウデ部を有する指輪において、前記トップ部の基部に貫通孔を設け、該貫通孔にウデ部を回動自在に嵌着した点に存するものである。【特許請求の範囲】
【請求項１】
宝玉等を固定するトップ部と、指を挿通するウデ部を有する指輪において、前記トップ部の基部に貫通孔を設け、該貫通孔にウデ部を回動自在に嵌着したことを特徴とする指輪。
【請求項２】
請求項１記載の指輪において、ウデ部を２本としたことを特徴とする指輪。
【請求項３】
請求項１記載の指輪において、トップ部に設けられた貫通孔に左右逆方向の雌ネジを螺設し、一方、ウデ部の一部を切断してＣ型となし、この端部に左右逆方向の雄ネジを螺設するとともに、ウデ部のネジ部を貫通孔の雌ネジに螺合せしめたことを特徴とする指輪。
【発明の詳細な説明】
【技術分野】
【０００１】
本発明は、指輪に関するものである。
【背景技術】
【０００２】
指輪は男性女性の装身具として多種多様の形態のものが提案され、愛好されている所である。ところで、洗顔、入浴あるいは水仕事を行うに際して、指輪を手指から取り外して、宝石箱等に収納すればよいが、ついつい面倒であることから手近な洗面台あるいは化粧台等に放擲して次ぎの行動に移るが、かかる場合において、指輪、特に、宝玉等を固定するトップ部と、指を挿通するウデ部を有する指輪にあっては、トップ部を有するために安定性に欠けるために、台に僅かな振動、衝撃が付与されることによって不安定な運動を行い、あるいは、少し強く放擲するような場合にあっては台上から落下し、落下時においても変則的な挙動を示すことから、指輪の破損、損傷はもとより、はなはだしきは紛失することも経験するところである。
【０００３】
従来、係る問題に適切に対応する従来技術、ましてや指輪そのものの構造により解決する従来技術は存在しない。
【発明の開示】
【発明が解決しようとする課題】
【０００４】
本発明は前述の諸点に鑑みなされたものであって、指輪を手指から取り外して洗面台あるいは化粧台等の台上に置く場合に、安定した姿勢で載置できるように、さらには、店頭における指輪のディスプレイ時においても簡単且つ多面的に展示しうる指輪を提供することである。
【課題を解決するための手段】
【０００５】
前述の課題を達成するための本発明に係る指輪の構成は、宝玉等を固定するトップ部と、指を挿通するウデ部を有する指輪において、前記トップ部の基部に貫通孔を設け、該貫通孔にウデ部を回動自在に嵌着した点に存するものである。
【０００６】
また、本発明に係る指輪は、トップ部に設けられた貫通孔に左右逆方向の雌ネジを螺設し、一方、ウデ部の一部を切断してＣ型となし、この端部に左右逆方向の雄ネジを螺設するとともに、ウデ部のネジ部を貫通孔の雌ネジに螺合せしめた点に存するものである。
【発明の効果】
【０００７】
前述の説明から明らかなように、本発明に係る指輪は、宝玉等を固定するトップ部と、指を挿通するウデ部を有する指輪において、前記トップ部の基部に貫通孔を設け、該貫通孔にウデ部を回動自在に嵌着した構成を採用することによって、洗顔、入浴あるいは水仕事を行うに際しての指輪の不使用時、手指から取り外した指輪のウデ部を回動させることによって、ウデ部の側面全体が台と接することとなり、安定した状態になり、特に、ウデ部を２本にした場合には両足を開脚した状態となることから、更に、安定した状態を取ることができ、不用意な運動に伴う台上から落下と、これに伴なう紛失の虞がない。また、店頭における商品の展示を行うに際しても、展示台を必要とすることなく、トップ部を正面にするとともにウデ部のデザインをも展示することを可能にする効果を有するものである。
【実施例】
【０００８】
以下、図示の実施例に基づいて本発明を説明するに、本発明に係る指輪１は、宝玉を固定し、あるいは、装飾部を有するトップ部２と、指を挿通するウデ部３を有するもので、前記トップ部の基部４に貫通孔５を設け、該貫通孔５にこの実施例においては2本のウデ部３、３’を回動自在に嵌着し、例えば、環状のリングの一部を切断してＣ型となし、この端部を前記貫通孔５の両側から嵌挿した構成を有するものである。
【０００９】
しかして、指輪１を手指から取り外して台上に置く場合、前記ウデ部３，３’を図示の矢印Ｘ方向に回動せしめ、図中仮想線で示される開脚状態となし、この状態において台上に置くものである。かくすることにより、ウデ部３、３’が支承することとなることから、台に不用意な振動が与えられても、指輪１は揺動することなく、安定した状態を保つことになる。
【００１０】
また、図２は本発明の他の実施例を示すもので、トップ部２の基部４に設けられた貫通孔５に左右逆方向の雌ネジ６、６ａを螺設し、一方、ウデ部の一部を切断してＣ型となし、この端部に左右逆方向の雄ネジ７，７ａを螺設するとともに、ウデ部３の雄ネジ部７，７ａを貫通孔の雌ネジ６，６ａに螺合せしめたものである。
【００１１】
この実施例においては、基部４にウデ部３を螺合せしめることから、確実な結合が可能となり、また、トップ部２を回動させることにより、ウデ部３に左右逆方向のネジ部７，７ａを刻設しているためにウデ部３が基部４に進退することとなり、ウデ部３の寸法も調整することが可能となり、フィットした指輪を提供することが可能となる。
【図面の簡単な説明】
【００１２】
【図１】本発明に係る指輪の実施例を示す説明図で、（I）は正面図、（II）は使用状態を示す平面図、（III）は同背面図を示す。
【図２】第2の実施例を示す説明図で、（I）は正面図、（II）はA−A線の部分断面図を示す。
【符号の説明】
【００１３】
１：指輪
２：トップ部
３：ウデ部
４：基部
５：貫通孔
６、６ａ：雌ネジ
７、７ａ：雄ネジ
【図１】
2005143693.tif 000002
【図２】
2005143693.tif 000003
(57)【要約】【課題】  円板にゴムを被着させて弁体を構成するので弁孔との係わりが面接触になって有効シール面積が大きくなると共に従来の０リングのように二次的な洩れも発生せず、蓄圧式消火器の気密性に高い信頼性が得られる蓄圧式消火器のバルブ構造を得る。【解決手段】  本体容器２に装着されたバルブケース１と、このバルブケース１に挿入されたバルブ軸４と、このバルブ軸４の先端面に設けられた弁体構成用円板８と、この弁体構成用円板８との間に間隔を置いてバルブ軸４の外周面に設けられた鍔体９と、弁体構成用円板８に自身の弾性力により密着状態に被着されかつ被着状態では孔周縁が鍔体９に係合するように前記間隔内に嵌め込まれた弁体構成用ゴム１０とを備えてなる。【選択図】    図１
2005143605.tif 000002
【特許請求の範囲】
【請求項１】
本体容器に装着されたバルブケースと、このバルブケースに挿入されたバルブ軸と、このバルブ軸の先端面に設けられた弁体構成用円板と、この弁体構成用円板との間に間隔を置いて前記バルブ軸の外周面に設けられた鍔体と、前記弁体構成用円板に自身の弾性力により密着状態に被着されかつ被着状態では孔周縁が前記鍔体に係合するように前記間隔内に嵌め込まれた弁体構成用ゴムとを備えたことを特徴とする蓄圧式消火器のバルブ構造。
【発明の詳細な説明】
【技術分野】
【０００１】
本発明は、蓄圧式消火器におけるバルブ構造に関するものである。
【背景技術】
【０００２】
従来のこの種の蓄圧式消火器のバルブ構造を図２について説明する。図２はバルブケース部を示す縦断側面図である。図において、１は本体容器２の口金２ａに装着したバルブケース、３はバルブケース１のバルブ軸孔、４はバルブ軸孔３に挿入したバルブ軸で、外周の０リング５によりバルブ軸孔３の弁孔６を閉鎖している。なお、バルブ軸４が押し下げられると、弁孔６が開いて本体容器２内の消火剤がバルブ軸孔３を通って吐出口７から噴射される。
【発明の開示】
【発明が解決しようとする課題】
【０００３】
解決しようとする問題は、従来のかかる０リング５では弁孔６との係わりが線接触になるために有効シール面積が小さくなるばかりか，０リング５の背後を通る二次的な洩れが余分に発生して洩れやすくなって、蓄圧式消火器の気密性に信頼性が得られないという点である。
【課題を解決するための手段】
【０００４】
本発明は、本体容器に装着されたバルブケースと、このバルブケースに挿入されたバルブ軸と、このバルブ軸の先端面に設けられた弁体構成用円板と、この弁体構成用円板との間に間隔を置いて前記バルブ軸の外周面に設けられた鍔体と、前記弁体構成用円板に自身の弾性力により密着状態に被着されかつ被着状態では孔周縁が前記鍔体に係合するように前記間隔内に嵌め込まれた弁体構成用ゴムとを備えたことを特徴とする。
【発明の効果】
【０００５】
本発明は、円板にゴムを被着させて弁体を構成するので弁孔との係わりが面接触になって有効シール面積が大きくなると共に従来の０リングのように二次的な洩れも発生せず、蓄圧式消火器の気密性に高い信頼性が得られるという効果がある。
【発明を実施するための最良の形態】
【０００６】
円板にゴムを自身の弾性力により密着状態に被着すると共に、その被着状態ではゴムの孔周縁が鍔体に係合して間隔内に嵌め込まれるように弁体を構成することにより、実現した。
【実施例】
【０００７】
図１は本発明構造の一実施例を示すバルブケース部の縦断側面図であり、図中前記した従来のものと同一または相当部分には同一符号を付して説明を省略する。
図において、８はバルブ軸４の先端面に設けた弁体構成用円板、９は弁体構成用円板８との間に間隔を置いてバルブ軸４の外周面に設けた鍔体、１０は弁体構成用円板８に被着させた弁体構成用ゴムで、自身の弾性力により密着状態に被着されると共にその被着状態では孔周縁が鍔体９に係合するように間隔内に嵌め込まれている。
【０００８】
前記したように弁体構成用ゴム１０を弁体構成用円板８に被せるだけで良いので、接着剤が不要となってバルブ軸４を弁体構成用円板８までの全体にわたってメッキ加工できて、部分メッキ加工のものに比べて容易かつ安価に製作できる。
【０００９】
弁体部分は、弁体構成用ゴム１０を弁体構成用円板８に被せるだけで、その孔周縁が鍔体９に係合して構成されているので、図示するように弁体が弁孔６に係合した状態ではしっかりした面接触をすると共に、その際弁孔６により弁体構成用ゴム１０の孔周縁がめくり上がることなく弁体構造が保持される。よって、弁体構成用ゴム１０を接着しなくても弁体構造のくずれはなく、高いシール効果が得られる。
【００１０】
また、このように弁体の弁体構成用ゴム１０の部分が弁孔６に対して面接触していると、バルブ軸４に加わる外的刺激の吸収が良くなり、弁体構成用ゴム１０の劣化も皆無となる。
【産業上の利用可能性】
【００１１】
本発明は、蓄圧式消火器のバルブ構造に広く活用できる。
【図面の簡単な説明】
【００１２】
【図１】本発明の一実施例を示すバルブケース部の縦断側面図である。
【図２】従来のもののバルブケース部を示す縦断側面図である。
【符号の説明】
【００１３】
１：バルブケース
２：本体容器
２ａ：本体容器２の口金
３：バルブ軸孔
４：バルブ軸
６：弁孔
７：吐出口
８：弁体構成用円板
９：鍔体
１０：弁体構成用ゴム
【図１】
2005143605.tif 000003
【図２】
2005143605.tif 000004
(57)【要約】【課題】  気体漏れ試験において液体に浸かる部分に溶接部分がないためにこの部分からの気体漏れを考慮しないで十分かつ満足できる気体漏れの試験結果が得られることにより、製品に高い信頼性が得られる蓄圧式消火器の本体容器を得る。【解決手段】  バルブケースの装着される上部１１と足座１２ａの装着される下部１２とに上下二分割された二分割構造体であって、その分割部分の横線溶接部１３を内部に収容される液体の液面１０よりも上方に位置するようにしてなる。【選択図】    図１
2005143604.tif 000002
【特許請求の範囲】
【請求項１】
バルブケースの装着される上部と足座の装着される下部とに上下二分割された二分割構造体であって、その分割部分の横線溶接部を内部に収容される液体の液面よりも上方に位置するようにしたことを特徴とする蓄圧式消火器の本体容器。
【発明の詳細な説明】
【技術分野】
【０００１】
本発明は、蓄圧式消火器における本体容器に関するものである。
【背景技術】
【０００２】
従来の蓄圧式消火器の本体容器は、図２に示すように筒体中部１に対してバルブケース（図示せず）の装着される上部２と足座３ａの装着される下部３とをそれぞれ接続する上下に三分割された三分割構造体であるので、筒体中部１の縦線溶接部４と上下部２，３の各横線溶接部５，６とを有している。
【０００３】
その後、加工技術の進歩により、図３に示すように単にバルブケース（図示せず）の装着される上部７と足座８ａの装着される下部８とに上下に二分割する二分割構造体が造られるようになり、これは下方一カ所に横線溶接部９を有している。
【発明の開示】
【発明が解決しようとする課題】
【０００４】
解決しようとする問題は、従来のかかる本体容器ではその構造上気体漏れ試験において十分かつ満足できる試験結果が得られないという点である。
【０００５】
つまり、気体漏れ試験では、本体容器内に液体を液面１０まで入れた状態でその上方に気体を入れて試験を行うので、液面１０よりも上方においては当然の如く十分な気体漏れの試験結果が得られるが、液体に浸かっている横線溶接部６，９及び縦線溶接部４の気体漏れ試験ができず、全体として十分かつ満足できる気体漏れの試験結果が得られない。そのために製品の信頼性がそこなわれている。
【課題を解決するための手段】
【０００６】
本発明は、バルブケースの装着される上部と足座の装着される下部とに上下二分割された二分割構造体であって、その分割部分の横線溶接部を内部に収容される液体の液面よりも上方に位置するようにしたことを特徴とする。
【発明の効果】
【０００７】
本発明は、気体漏れ試験において液体に浸かる部分に溶接部分がないためにこの部分からの気体漏れを考慮しないで十分かつ満足できる気体漏れの試験結果が得られるので、製品に高い信頼性が得られるという効果がある。
【発明を実施するための最良の形態】
【０００８】
上下二分割構造体の横線溶接部を内部に収容される液体の液面よりも上方に位置するようにすることにより、実現した。
【実施例】
【０００９】
図１は本発明本体容器の一実施例を示す概略図であり、図中前記した従来のものと同一または相当部分には同一符号を付して説明を省略する。
図において、１１はバルブケース（図示せず）の装着される背の低い上部、１２は足座１２ａの装着される背の高い下部、１３は上部１１と下部１２との分割部分の横線溶接部で、内部に収容される液体の液面１０よりも上方に位置するようにしてある。
【００１０】
このように上部１１と下部１２とに分割しかつその分割部分の横線溶接部１３を内部に収容される液体の液面１０よりも上方に位置するようにしておくと、液体に浸かる部分に溶接部分がないので、気体漏れ試験は必要な横線溶接部１３の部分を確実にでき、製品として十分かつ満足できる気体漏れ試験結果が得られる。よって、製品の高い信頼性が得られる。
【産業上の利用可能性】
【００１１】
本発明は、蓄圧式消火器における本体容器に広く活用できる。
【図面の簡単な説明】
【００１２】
【図１】この発明の実施例を示す概略図である。
【図２】従来のものを示す概略図である。
【図３】従来の異なるものを示す概略図である。
【符号の説明】
【００１３】
１０：液面
１１：上部
１２：下部
１２ａ：足座
１３：横線溶接部
【図１】
2005143604.tif 000003
【図２】
2005143604.tif 000004
【図３】
2005143604.tif 000005
(57)【要約】【課題】  保育園や幼稚園等の施設にとって、他園で用いられている木製椅子との差別化を図ることができ、園児にとっては、将来かけがえのない思い出の品としての価値を有するなど、斬新且つユニークな園児用木製椅子を提案する。【解決手段】  保育園や幼稚園で用いる園児用木製椅子であって、入園時に、園児の手形３と名前４を背板２にレーザー焼き付け加工し、在園期間中、各園児の専用椅子として使用し、卒園時に各園児に記念品として引き渡すことを特徴とする。【選択図】  図１
2005143585.tif 000002
【特許請求の範囲】
【請求項１】
保育園や幼稚園で用いる園児用木製椅子であって、
入園時に、園児の手形３と名前４を背板２にレーザー焼き付け加工し、在園期間中、各園児の専用椅子として使用し、卒園時に各園児に記念品として引き渡すことを特徴とした園児用木製椅子。
【請求項２】
檜間伐材で製作した請求項１に記載の園児用木製椅子。
【請求項３】
知的障害者授産施設において製造する請求項１又は２に記載の園児用木製椅子。
【発明の詳細な説明】
【技術分野】
【０００１】
この発明は、保育園や幼稚園等の施設の備品として用いる園児用木製椅子に関するものである。
【背景技術】
【０００２】
近年、保育園や幼稚園の備品である園児用の椅子は、プラスチック製や金属パイプ製の安価な無機質素材のものに代わり、木の持つ天然素材としての効用から、木製のものが用いられるようになっている。この園児用木製椅子は、園児の年齢層に適した座面高さのサイズで、スタッキング（積み重ね）可能にデザインされ、自然塗料による白木調に一般に製作されている。
【０００３】
こうした園児用木製椅子は、保育園や幼稚園にとって、他の安価な素材に比べて導入コストが高価であり、傷や汚れが付き易く、定期的なメンテナンスや買い換えも必要とされ、運用コストも高価である。また、園児にとっては、特に自分の椅子が決められているわけではなく、愛着も持てない。
【発明の開示】
【発明が解決しようとする課題】
【０００４】
この発明は、保育園や幼稚園等の施設にとって、他園で用いられている木製椅子との差別化を図ることができ、園児にとっては、将来かけがえのない思い出の品としての価値を有するなど、斬新且つユニークな園児用木製椅子を提案するものである。また、新規な使用形態で、経済、教育、健康、環境、社会等の様々な側面において付加価値を奏する園児用木製椅子を提案するものである。
【課題を解決するための手段】
【０００５】
こうした課題を解決するため、この発明の園児用木製椅子は、入園時に、園児の手形３と名前４を背板２にレーザー焼き付け加工し、在園期間中、各園児の専用椅子として使用し、卒園時に各園児に記念品として引き渡すことを特徴とするものである。
【０００６】
また、この園児用木製椅子の素材として檜間伐材を用い、木製椅子の生産施設として、知的障害者授産施設において製造するものである。
【発明の効果】
【０００７】
この発明の園児用木製椅子は、園児の手形３と名前４を背板２にレーザー焼き付け加工した斬新且つユニークなもので、保育園や幼稚園で導入すれば、他園のありふれた園児用木製椅子と差別化した保育サービスを提供することができ、コスト効果に優れるものである。また、保育園や幼稚園にとっては、入園児に園児専用の椅子として買い取り備品とし、又は卒園時に適価で引き渡すようにすることで、備品としてのコストの削減を図ることができ、生産者にとっては、毎年一定の受注が期待されるなどの経済的効果を奏するものである。園児にとっては、木の持つ天然素材としての効用を享受することができるとともに、自分専用であるから愛着も湧き、物を大切にする心を養うなどの情操教育の観点からも有益で、引き渡された木製椅子は、将来かけがえのない思い出の品としての価値を有するものである。
【０００８】
また、園児用木製椅子を檜間伐材で製作することで、檜特有の調湿、殺菌、浄化作用やアロマテラピー（芳香療法）効果など、園児の健康に優しく、環境負荷が小さくて貴重な森林資源である間伐材の利用促進を図ることができる。
【０００９】
また、この園児用木製椅子は簡単な木工加工で製作可能であるから、知的障害者授産施設の生産活動に適し、知的障害者の就労創出に役立つものである。以上のように、この発明の園児用木製椅子は、極めて新規な使用形態であり、経済、教育、健康、環境、社会等の様々な側面において付加価値を奏するものである。
【発明を実施するための最良の形態】
【００１０】
図１、２に、この発明に基づいて製作した園児用木製椅子の実施例を示す。
図に示すように木製椅子１は、園児の体格に適した座面高さで、スタッキング可能な形状で、その素材として檜間伐材が用いられ、自然塗料による白木調に製作されている。木製椅子１の背板２の背面には、この木製椅子１を使用する各園児の両手の手形３が、左右に間隔を設けた位置にレーザー照射によって黒く焼き付け加工され、その間に各園児の名前４がひらがなで同じく焼き付け加工して記入されている。
【００１１】
図３に、この園児用木製椅子の使用形態の全体概要をフローチャートで示す。
木製椅子１を導入する保育園や幼稚園から注文を受けた販売者（生産者）は、専用シートを配布し、これに入園が予定されている園児の手形を押印し、名前を記入する。専用シートは回収されてデータ化され、このデータに基づいて背板２の背面に焼き付け加工し、各園児専用の木製椅子１を製作し、入園前（３月）に納品される。
【００１２】
４月に入園した園児には、自分の手形３と名前４が焼き付けられた木製椅子１が与えられ、在園期間中、自分専用の木製椅子１として使用する。販売者によりアフターフォローがなされ、次年度の注文を受け付けるとともに、壊れ、傷、汚れ等に対して定期的なメンテナンスが施される。卒園時にこの木製椅子１は記念品として各園児に引き渡される。
【００１３】
以上、この発明の園児用木製椅子及びその使用形態の概要を説明したが、木製椅子１のレーザー焼き付けは、園児の入園後でもよく、手形３及び名前４の位置は図面に限定されるものではない。また、手形３及び名前４とともに、施設の名前やロゴ等を木製椅子１の任意の位置に焼き付け加工してもよい。
【図面の簡単な説明】
【００１４】
【図１】この発明の園児用木製椅子の実施例の斜視図。
【図２】背面図。
【図３】使用形態の全体概要のフローチャート。
【符号の説明】
【００１５】
１  木製椅子
２  背板
３  手形
４  名前
【図１】
2005143585.tif 000003
【図２】
2005143585.tif 000004
【図３】
2005143585.tif 000005
(57)【要約】【課題】本発明はパチンコ遊技機の表示装置において多彩、奇抜な表現を行うことの出来る表示装置を提供することにある。【解決手段】パチンコ遊技機に組み込まれ、遊技機制御用基板からのコマンドを受信して動作する表示装置であって、泡を放出できる小孔を多数任意に配置した液体入り透明水槽からなり、該小孔からの泡の放出タイミングを制御して特定パターン又は文字などを該水槽内に表示できる様にした表示装置である。また、この装置は背後に配置させた液晶表示装置と一体化させて制御することにより水槽内の泡による演出と液晶表示装置との演出を重ね合わせて多彩な演出が出来る。【選択図】図２
2005143546.tif 000002
【特許請求の範囲】
【請求項１】
パチンコ遊技機に組み込まれ、遊技機制御用基板からのコマンドを受信して動作する表示装置において、泡を放出できる小孔を多数配置した液体入り透明水槽からなり、該小孔からの泡の放出タイミングを制御して特定パターン又は文字などを該水槽内に表示できる様にした表示装置
【請求項２】
泡を放出する小孔の直径を０．３〜５ｍｍとし、これを総数で１〜 １００個、任意の形に配列し、泡の放出タイミングを制御する様にした請求項１の表示装置
【請求項３】
請求項１の水槽の背後に液晶表示装置を配置し、液晶表示装置の変動演出と水槽内の演出とを重ね合わせて多彩な演出が出来るようにした表示装置
【請求項４】
水槽の下部又は側部に線光源又は複数の点光源を配置したことを特徴とする請求項１乃至３の表示装置
【発明の詳細な説明】
【技術分野】
【０００１】
本発明はパチンコ遊技機の新規な表示装置に関する。
【背景技術】
【０００２】
従来のパチンコ遊技機表示装置は、図柄の変動表示がスタートするいわゆるリーチ状態が出現した場合の図柄表示が液晶など電気的表示手段で構成されていた。又、変動パターンの選択順序や大当たり発生確率によって表示されているため遊技が長時間に亘ると同一の図柄変動パターンが繰り返し表示され、遊技者にインパクトを与えることが出来ず、遊技への興味が次第に失われてしまう場合がある。
複数の演出部材と画像表示装置の表示で遊技演技者の視覚的な興趣を向上する方法として特許文献１などが提案されているが、泡の放出によるパター形成などに関する表示法は先行技術に皆無である。
【０００３】
【特許文献１】特開２００３−１８１０４９号公報
【発明の開示】
【発明が解決しようとする課題】
【０００４】
本発明は従来の比較的単調になりやすい図柄表示を、新規な表示法を用いて遊技者にインパクトを与え続ける事ができる表示装置の提供を目的とする。
【課題を解決するための手段】
【０００５】
本発明は、パチンコ遊技機に組み込まれ、遊技機制御用基板からのコマンドを受信して動作する表示装置において、泡を放出できる小孔を多数配置した液体入り透明水槽からなり、該小孔からの泡の放出タイミングを制御して特定パターン又は文字などを該水槽内に表示できる様にした表示装置である。
水槽中に配置される泡放出用の小孔の直径は０．５〜５ｍｍの範囲が適当で、この様な小孔を総数で１〜１００個程度を、直列、並列、場合によっては下部のみならず斜め、横、に任意の形に配列し、泡の放出タイミングを制御して多彩な泡パターンを水槽内に発生できる様にすることが出来る。
また、水槽の背後に通常の液晶表示装置を配置し、液晶表示装置の変動演出と水槽内の演出とを重ね合わせて多彩な演出が出来るようにすることも可能である。
更に、水槽の下部又は側部に蛍光管などの線光源又はＬＥＤなどの点光源を複数配置して泡の鮮やかさを強調することでより華麗な図柄演出をすることが出来る。
【発明の効果】
【０００６】
請求項１に記載の表示装置は水槽中で制御された条件下に泡を放出し、泡により特定パターンを形成させるという従来に全くない新規な表示方法で遊技者をいつまでも飽きさせない演出効果を発揮できる。
また、請求項３に記載の表示装置は従来の表示装置と組み合わせる事により何十倍もの多彩な演出を創出できる効果を有し、泡に光を当てることによりより美的な演出を行うことが出来る。
【発明を実施するための最良の形態】
【０００７】
次に図１乃至図３に従って本発明の最良の形態について説明する。なお、各図面において同一構成部分については同一符号を付して説明する。
【０００８】
図１において、１は液体２の入った水槽であり、３は泡によって形成されたパターンを示す。水槽中に放出された泡はパターン形成後最後には崩れて、水槽上部空隙部に貯まる。これをポンプ４で吸引し、圧力センサ６からの信号を受信した制御回路７内のポンプ駆動ＩＣの指示で圧縮タンク５の気圧を制御する。電磁バルブ８は制御回路７のバルブ駆動ＩＣからの指示で作動し、水槽１内に気泡が放出される。ここで使用される液体は水が最も多く用いられるが必ずしも水でなくても良く、有機溶媒、油などを用いても良い。
【０００９】
形成されるパターンの具体例は、図面に例示した○や×印の他に、「チャンス」や「当たり」など文字でメッセージを伝えるもの、花火様のパターンとしたもの、特定リズムに連動させて放出してリーチ状態となったときの喜びを表現したもの、大小の泡を混在させて泡の上昇スピードを変える事により遠近感のある場面を表現したものなどが挙げられる。
｛発明を実施するための異なる形態｝
【００１０】
図２は水槽側部に点光源９を複数配置し、且つ水槽の背後に通常使用されている液晶表示装置１０を配置した例を示す。ここでの泡の放出によるパターン形成機構は図１の場合に加えて、多量の泡を放出することで背部に配置した液晶表示装置の表示内容を見えづらくして期待感を持たせるもの、液晶表示装置の表示が指し示す特定の小孔からのみ泡を放出するものなど、液晶表示装置と重ね合わせたことにより、または側部から光を照射することにより、より多彩な演出、より美的効果の高い演出が可能となる。
【００１１】
図３は図２に示す泡発生水槽と液晶表示装置とを一体に組み合わせた場合の制御回路ブロック図を示すものである。図３において、マイクロプロセッサＭＰＵには制御基板Ｉ／Ｆ、ＲＯＭ、ＲＡＭ，ＶＤＰ，受信ＩＣ、ポンプ駆動ＩＣ、バルブ駆動ＩＣが接続されている。制御基板Ｉ／Ｆは演出コマンド等を受信する通信手段である。ＲＯＭには動作プログラムが格納されており、ＲＡＭはＭＰＵのワークメモリである。ＶＤＰは液晶表示の制御を行う。受信ＩＣは圧力センサの信号を受信し、ポンプ駆動ＩＣを制御してタンク内の気圧を最適に保つ。バルブ駆動ＩＣは泡を放出する電磁バルブを駆動するもので、その駆動パターンはプログラムとしてＲＯＭに組み込まれている。
【産業上の利用可能性】
【００１２】
本発明はパチンコ遊技機の表示装置を製造する産業で利用される。
【図面の簡単な説明】
【００１３】
【図１】本発明を実施するための泡放出機構を示すブロック図
【図２】本発明の別の態様を示す泡放出機構を示すブロック図
【図３】泡発生水槽と液晶表示装置を組み合わせたときの制御回路ブロック図
【符号の説明】
【００１４】
１…水槽
２…液体
３…気泡による描画
４…ポンプ
５…圧縮タンク
６…圧力センサ
７…制御回路
８…電磁バルブ
９…光源
１０…液晶表示装置
【図３】
2005143546.tif 000003
【図１】
2005143546.tif 000004
【図２】
2005143546.tif 000005
(57)【要約】      （修正有）【課題】安価簡便な機構で身体へ伝わる衝撃の低減と乗り心地向上を図る車椅子を提供する。【解決手段】後輪車軸Ｃ取り付け部のフレームの一部を切断してカンチレバー構造とし、適宜隙間（Ｂ１・Ｂ２間）を設け、車軸が取り付けられたフレームにたわみの余地を与えてバネの代用をさせている。加えて、衝撃や振動の吸収範囲を広げ、乗り心地向上を図るため、負荷調節機構を有するダンパーをカンチレバー構造に組み合わせる。【選択図】図３
2005143774.tif 000002
【特許請求の範囲】
【請求項１】
車いすの主車輪（後輪）が接合するフレーム部をカンチレバー（片持ち）とし、適度なたわみの余地を与えて車輪懸架バネの役目を果たす構造。
【請求項２】
請求項１のバネ機構にダンパーを付加し、振動を軽減させる構造。
【発明の詳細な説明】
【技術分野】
【０００１】
本発明は、車椅子の座り心地向上を簡便な機構で実現するものである。
【背景技術】
【０００２】
既存車椅子の中で高額高機能品には、コイルスプリングと直動ダンパーを使用して緩衝機構を有するものがある。一方、カンチレバー構造の歴史を辿れば、西欧のデザイナー達が１９２０年代に安楽快適な椅子として発表し、現在まで受け継がれている。
【発明の開示】
【発明が解決しようとする課題】
【０００３】
緩衝機構のない車椅子を使用する場合、凸凹路や段差等を通過する際の衝撃が身体へ直に伝わり、傷害や傷病を持つ利用者に苦痛を与えている。又、高額高機能の既存車いすに緩衝機構を有するものがあるが、普及品には見られない。本発明は、安価簡便な機構で身体へ伝わる衝撃の低減と乗り心地向上を図る。
【課題を解決するための手段】
【０００４】
本発明では、出来るだけ簡便な構造で車輪系に緩衝機構を設ける点に留意し、車軸が取り付けられるフレームの一部を解放端のカンチレバー構造としてバネの代用をさせている。
【０００５】
さらに、衝撃や振動の吸収範囲を広げ、乗り心地向上を図るため、負荷調節機構を有するダンパーをカンチレバー構造に組み合わせている。
【発明の効果】
【０００６】
これまで緩衝機構を有する車いすは高価高機能であった。本発明を用いれば安価簡便に、コストパフォーマンスの高い、乗り心地の良い車いすを提供できる。
【発明を実施するための最良の形態】
【０００７】
カンチレバーは普通の椅子として実績のある構造である。これを車いすに応用して安価簡便な機構でより良い乗り心地を提供する。普及品の車いすは収納を考慮して折り畳みを前提としたものが多い。本発明においても、左右の懸架部は独立した構造をも照準する。
【実施例１】
【０００８】
以下図面を用いて説明する。
（図１）は本発明の原点といえるスチール製カンチレバー構造を用いた代表的椅子の例を示す。この構造からフレームのたわみによるバネの原理が理解できる。この椅子は現在もオフィス等で良く見かけるものである。
【０００９】
（図２）は、既存普及品の代表的車いすの側面を示す。図のとおり車輪からの緩衝機構を持たない。
【００１０】
（図３）は、既存普及品を例に本発明の基本構造を示す。後輪車軸取り付け部のフレーム上方を切断してカンチレバー構造とし、適宜隙間（Ｂ１・Ｂ２間）を設け、車軸が取り付けられたフレームにたわみの余地を与えてバネの代用をさせている。フレーム材質はたわみに応じて適宜選択する。
【００１１】
（図４）は、隙間（Ｂ１・Ｂ２間）にダンパーを付加し、車輪から座面Ａに伝わる振動の軽減向上を図る構造を示す。
【図面の簡単な説明】
【００１２】
【図１】代表的なカンチレバー構造の椅子
【図２】代表的な既存車いすの側面
【図３】本発明の実施例カンチレバー部分
【図４】本発明の実施例ダンパー部分
【符号の説明】
【００１３】
Ａ    車いすの座面
Ｂ１  座面側のフレーム解放端
Ｂ２  車軸側のフレーム解放端
Ｃ    車軸
Ｄ    Ｂ１側のフレーム
Ｅ    ダンパー
Ｆ    車軸位置
Ｇ    Ｂ２側のフレーム
【図１】
2005143774.tif 000003
【図２】
2005143774.tif 000004
【図３】
2005143774.tif 000005
【図４】
2005143774.tif 000006
(57)【要約】【課題】  供給中の泡消火薬剤槽が空になると三方切替弁の切り替えにより待機中の泡消火薬剤槽に切り替えられるので、泡消火薬剤槽の切替（交換）時にエアを吸い込むということがなく，消火効果の低下をまねかない泡消火設備を得る。【解決手段】  泡消火薬剤供給機構が，混合器１に泡消火薬剤が入る手前に設けられる三方切替弁４と、この三方切替弁４にそれぞれ接続される２個の泡消火薬剤槽３Ａ，３Ｂとを備えてなる。【選択図】    図１
2005143855.tif 000002
【特許請求の範囲】
【請求項１】
泡放出部と加圧送水部との間にある混合器と、この混合器に泡消火薬剤を供給するための泡消火薬剤供給機構とからなる泡消火設備において、前記泡消火薬剤供給機構が，前記混合器に泡消火薬剤が入る手前に設けられる三方切替弁と、この三方切替弁にそれぞれ接続される２個の泡消火薬剤槽とを備えてなることを特徴とする泡消火設備。
【請求項２】
２個の泡消火薬剤槽にそれぞれ低位液面感知器を設け、この低位液面感知器からの信号により三方切替弁が自動的に切り替わるようにしたことを特徴とする請求項１記載の泡消火設備。
【発明の詳細な説明】
【技術分野】
【０００１】
本発明は、泡放出部と加圧送水部との間にある混合器と、この混合器に泡消火薬剤を供給するための泡消火薬剤供給機構とからなる泡消火設備に関するものである。
【背景技術】
【０００２】
従来の泡消火設備を図２について説明する。図２は管路混合式のものを示す概略図であり、図中１は泡放出部（図示省略するが、泡ヘッドなど）と加圧送水部（図示省略するが、ポンプや消火栓など）との間にある混合器（ラインプロポーショナー）、２はピックアップチューブ、３は泡消火薬剤槽（２０リットルアトロン缶や２００リットルドラム缶など）である。
【０００３】
加圧水が混合器１を通過することにより、ピックアップチューブ２により泡消火薬剤槽３内の泡消火薬剤が吸い上げられて混合器１内で加圧水に混合され、そのまま泡水溶液となって泡放出部に送られる。
【発明の開示】
【発明が解決しようとする課題】
【０００４】
解決しようとする問題は、前記した従来の泡消火設備では泡消火薬剤槽３が空になると、それ以上必要なときには残量を目視確認してピックアップチューブ２を泡消火薬剤槽３から抜き出して泡消火薬剤槽３を交換するので、このようなときには抜き出したピックアップチューブ２にエアが吸い込まれて泡放射が中断し、泡消火作業に支障ができ（急を要するときなど）、消火効果の低下をまねくという点である。
【課題を解決するための手段】
【０００５】
請求項１の発明は、泡消火薬剤供給機構が，混合器に泡消火薬剤が入る手前に設けられる三方切替弁と、この三方切替弁にそれぞれ接続される２個の泡消火薬剤槽とを備えてなることを特徴とする。
【０００６】
請求項２の発明は、２個の泡消火薬剤槽にそれぞれ低位液面感知器を設け、この低位液面感知器からの信号により三方切替弁が自動的に切り替わるようにしたことを特徴とする。
【発明の効果】
【０００７】
請求項１の発明は、供給中の泡消火薬剤槽が空になると三方切替弁の切り替えにより待機中の泡消火薬剤槽に切り替えられるので、泡消火薬剤槽の切替（交換）時にエアを吸い込むということがなく，消火効果の低下をまねかないという効果がある。
【０００８】
請求項２の発明は、供給中の泡消火薬剤槽が空になると三方切替弁が自動的に切り替わって待機中の泡消火薬剤槽に切り替わるので、必要な分の泡消火薬剤槽の取り替え（交換）をすれば泡消火薬剤槽の数に限りなく連続泡放射が長時間にわたり自動的に行えるという効果がある。
【発明を実施するための最良の形態】
【０００９】
三方切替弁の切り替えにより２個の泡消火薬剤槽の切り替えを行うことにより、実現した。
【実施例】
【００１０】
図１は本発明設備の一実施例を示す概略図であり、図中前記した従来設備と同一または相当部分には同一符号を付して説明を省略する。
【００１１】
図において、４は混合器１に泡消火薬剤が入る手前に設けられる三方切替弁で、２本のピックアップチューブ２Ａ，２Ｂが接続されている。５はピックアップチューブ２Ａ，２Ｂの先にそれぞれ取り付けた低位液面感知器で、２個の泡消火薬剤槽３Ａ，３Ｂ内に配置されている。６は三方切替弁４の駆動部で、バッテリー７付き操作箱８により操作されると共にそのタイミングは低位液面感知器５からの信号が操作箱８に入力されることにより行われる。
【００１２】
今、三方切替弁４の状態がピックアップチューブ２Ａを連通するときには、混合器１にはピックアップチューブ２Ａにより泡消火薬剤槽３Ａ内の泡消火薬剤が吸い上げられて混合器１内で加圧水に混合され、そのまま泡水溶液となって泡放出部に送られる。
【００１３】
そして、泡消火薬剤槽３Ａ内の泡消火薬剤が無くなったことを低位液面感知器５が感知して信号を操作箱８に送ると、操作箱８から駆動部６が駆動されて三方切替弁４が切り替わり、ピックアップチューブ２Ｂが混合器１に連通するので、混合器１にはピックアップチューブ２Ｂにより泡消火薬剤槽３Ｂ内の泡消火薬剤が連続して吸い上げられて混合器１内で加圧水に混合され、そのまま泡水溶液となって泡放出部に送られる。
【００１４】
その際、必要ならば、空になった泡消火薬剤槽３Ａに泡消火薬剤を補給するか，泡消火薬剤槽３Ａを満タンのものに取り替え、再びピックアップチューブ２Ａから泡消火薬剤を連続して供給することも可能で、このようにして連続放射を長時間にわたり行うことができる。
【００１５】
図中点線で示すように、本泡消火薬剤供給機構，即ち三方切替弁４・２本のピックアップチューブ２Ａ，２Ｂ・低位液面感知器５・２個の泡消火薬剤槽３Ａ，３Ｂ・駆動部６・バッテリー７付き操作箱８を、キャスター付き架台９によりユニット化しておけば、移動も可能で広範囲に対応ができるようになる。
【００１６】
上記実施例では三方切替弁４が低位液面感知器５により自動的に切り替わるものを示したが、三方切替弁４は手動で切り替えることも可能で、即ちこの場合低位液面感知器５・駆動部６・バッテリー７付き操作箱８が不要となって装置の簡略化，安価が図れる。
【産業上の利用可能性】
【００１７】
本発明は、泡消火設備に広く活用できる。
【図面の簡単な説明】
【００１８】
【図１】本発明の一実施例を示す概略図である。
【図２】従来の泡消火設備を示す概略図である。
【符号の説明】
【００１９】
１：混合器
２Ａ：ピックアップチューブ
２Ｂ：ピックアップチューブ
３Ａ：泡消火薬剤槽
３Ｂ：泡消火薬剤槽
４：三方切替弁
５：低位液面感知器
６：駆動部
７：バッテリー
８：操作箱
９：キャスター付き架台
【図１】
2005143855.tif 000003
【図２】
2005143855.tif 000004
(57)【要約】【課題】  常時は消火剤貯蔵容器内が無圧状態になるので消火剤貯蔵容器内からの消火剤の誤放出が皆無となるし、また自動車が転倒していかなる向きの状態に止まってもサイホン管の先端が消火剤貯蔵容器内の底に当たる位置に移動するので消火剤が１００％放出される自動車用自動消火システムを得る。【解決手段】  エアバック等と同等に作動するガス発生器１と、このガス発生器１の作動による気体により充圧される消火剤貯蔵容器３と、この消火剤貯蔵容器３内に設けられかつその先端６ａが消火剤貯蔵容器３内のいずれの位置にも自重により移動可能なサイホン管６と、このサイホン管６から導出されて配備される火災感知機能付きノズル４とを備えてなる。【選択図】    図１
2005143856.tif 000002
【特許請求の範囲】
【請求項１】
エアバック等と同等に作動するガス発生器と、このガス発生器の作動による気体により充圧される消火剤貯蔵容器と、この消火剤貯蔵容器内に設けられかつその先端が前記消火剤貯蔵容器内のいずれの位置にも自重により移動可能なサイホン管と、このサイホン管から導出されて配備される火災感知機能付きノズルとを備えたことを特徴とする自動車用自動消火システム。
【発明の詳細な説明】
【技術分野】
【０００１】
本発明は、自動車火災に対する自動消火システムに関するものである。
【背景技術】
【０００２】
従来、自動車火災に対する自動消火システムとして、消火剤貯蔵容器に蓄圧タイプのものを使うシステムと、消火剤貯蔵容器に加圧タイプのものを使うシステムとがある。
【発明の開示】
【発明が解決しようとする課題】
【０００３】
解決しようとする問題は、消火剤貯蔵容器に蓄圧タイプのものを使うと自動車の振動や軽い衝撃によって消火剤貯蔵容器内の消火剤が誤放出するし、また消火剤貯蔵容器に蓄圧タイプのものを使う場合は勿論加圧タイプのものを使う場合も自動車が転倒して止まった向きの状態によってはサイホン管の先端が気体中に出てしまって消火剤の放出ができないという点である。
【課題を解決するための手段】
【０００４】
本発明は、エアバック等と同等に作動するガス発生器と、このガス発生器の作動による気体により充圧される消火剤貯蔵容器と、この消火剤貯蔵容器内に設けられかつその先端が前記消火剤貯蔵容器内のいずれの位置にも自重により移動可能なサイホン管と、このサイホン管から導出されて配備される火災感知機能付きノズルとを備えたことを特徴とする。
【発明の効果】
【０００５】
本発明は、火災になる恐れのあるときになって消火剤貯蔵容器内が充圧されることにより常時は消火剤貯蔵容器内が無圧状態になるので消火剤貯蔵容器内からの消火剤の誤放出が皆無となるし、また自動車が転倒していかなる向きの状態に止まってもサイホン管の先端が消火剤貯蔵容器内の底に当たる位置に移動するので消火剤が１００％放出されるという効果がある。
【発明を実施するための最良の形態】
【０００６】
火災になる恐れのあるときになってガス発生器の作動で消火剤貯蔵容器内を気体により充圧し、そして火災感知機能付きノズルの開放によって消火剤を放出することにより、実現した。
【実施例】
【０００７】
図１は本発明システムの一実施例を示す概略図である。図において、１はエンジンルーム２に設けたガス発生器、３はガス発生器１の作動による気体により充圧される消火剤貯蔵容器、４は消火剤貯蔵容器３から配管５により接続されてエンジンルーム２に設けられる火災感知機能付きノズル、６は配管５により接続されて消火剤貯蔵容器３内にあるサイホン管で、２個の自在管継手７，８によりその先端６ａが消火剤貯蔵容器３内のいずれの位置にも自重により移動するようになっている。
【０００８】
ガス発生器１は、自動車９の事故等の衝撃により，つまり火災になる恐れのあるときに例えばエアバック等が作動するのと同様にして作動するようになっている。よって、設置位置は図示のものに限らない。
【０００９】
今、ガス発生器１が作動すると、ガス発生器１から出る気体が消火剤貯蔵容器３内に充圧されて消火剤貯蔵容器３内が加圧状態になる。そして、火災感知機能付きノズル４がエンジンルーム２内の火災を感知して開放すると、消火剤貯蔵容器３内の消火剤がサイホン管６から配管５を通って火災感知機能付きノズル４より放出される。
【００１０】
その際、自動車９が図示のように真っ直ぐな正常状態にあるときには、消火剤貯蔵容器３内の消火剤も図示の状態においてサイホン管６の先端６ａに入ってゆくし、例えば自動車９が転倒した状態になって消火剤貯蔵容器３が逆さになってもサイホン管６の先端６ａが自重により自在管継手８のところで回転して消火剤中に位置を変えるし，また自動車９のいかなる傾きによっても自在管継手７のところでも回転するので、サイホン管６の先端６ａは自動車９のいかなる状態においても自重により消火剤のある底側に位置を変えて消火剤が入るようになる。
【００１１】
なお、消火剤として、ノバック１２３０（住友スリーエムの登録商標）を使用すると、本薬剤は消火剤貯蔵容器３内に貯蔵されているときには液体であるが、加圧状態で火災感知機能付きノズル４から放出されると気化するので、この種のエンジン火災などでは強い消火効力を発揮する。
【００１２】
以上のように自動車９の通常状態での使用時には消火剤貯蔵容器３内は加圧されていないので、日常的な自動車の振動や軽い衝撃によっては消火剤貯蔵容器３内の消火剤が誤放出することがない。つまり、火災の恐れのある事態になったときに始めてガス発生器１により消火剤貯蔵容器３内が充圧されるので、自動車９の使用において従来のものと同じになる。
【００１３】
上記実施例ではサイホン管６を２個の自在管継手７，８により接続する構成にすることにより、その先端６ａの首振りを可能にしているが、この先端６ａの首振り構造は図示のものに限らないは勿論である。
【産業上の利用可能性】
【００１４】
本発明は、自動車全般にわたる火災に対して広く活用できる。
【図面の簡単な説明】
【００１５】
【図１】本発明の一実施例を示す概略図である。
【符号の説明】
【００１６】
１：ガス発生器
２：エンジンルーム
３：消火剤貯蔵容器
４：火災感知機能付きノズル
５：配管
６：サイホン管
６ａ：サイホン管６の先端
７：自在管継手
８：自在管継手
【図１】
2005143856.tif 000003
(57)【要約】【課題】ペットに対する薬物や健康食品等の投与法を提供する。【解決手段】ペットが身体を舐める習性を利用して、前記ペットの体表に薬物や健康食品等を塗布したり散布することにより前記薬物や健康食品等を投与することを特徴とする。また、塗布したり散布する方法として刷，綿棒又はスプレーを使用することを特徴とする。従って、ペットに薬物や健康食品等を飲ませるのに苦労せず、また薬を飲んだ後に吐き出すことがないので、ペットに薬物や健康食品等を容易に投与することができる。【選択図】なし【特許請求の範囲】
【請求項１】
ペットが身体を舐める習性を利用して、前記ペットの体表に薬物や健康食品等を塗布又は散布することにより前記薬物や健康食品等を投与することを特徴とするペットに対する薬物や健康食品等の投与法。
【請求項２】
前記塗布又は散布に、刷，綿棒又はスプレーを使用することを特徴とする請求項１記載のペットに対する薬物や健康食品等の投与法。
【発明の詳細な説明】
【技術分野】
【０００１】
本発明は、ペットに対する薬物や健康食品等の投与法に関する。
【背景技術】
【０００２】
従来、ペットへの薬物等の投与は経口投与及び注射によるものであった。しかしながら、ペットに薬物を経口投与する場合、ペットが錠剤や丸剤または薬用飼料を摂取するのを嫌がるためしばしば受容されず、たとえ薬用飼料を食べたとしても後で吐き出したりして所望の経口投与を達成できないか、又は力を用いてのみ成し遂げなければならないなどの問題があった。
【０００３】
このような問題を解決する手段として、例えば経口投与においてはカプセルなどに薬物等を充填して投与するなどの工夫が施されてきた（特許文献１）。
【０００４】
しかしながら、一般家庭ではペットに対して薬物や健康食品等を投与する際に、大変な努力が必要であった。
【特許文献１】特開平７−３２２８２９号公報
【発明の開示】
【発明が解決しようとする課題】
【０００５】
本発明は、ペットに薬物や健康食品等を飲ませるのに苦労せず、また薬を飲んだ後に吐き出すことがないペットに対する薬物や健康食品等の投与法を提供することである。
【課題を解決するための手段】
【０００６】
上記課題を鑑みて鋭意検討した結果、ペットが身体を舐める習性を利用することによって、ペットに薬物や健康食品等を投与することを見出し、本発明に想到した。
【０００７】
本発明の請求項１記載のペットに対する薬物や健康食品等の投与法は、ペットが身体を舐める習性を利用して、前記ペットの体表に薬物や健康食品等を塗布又は散布することにより前記薬物や健康食品等を投与することを特徴とする。
【０００８】
本発明の請求項２記載のペットに対する薬物や健康食品等の投与法は、請求項１において、前記塗布又は散布に、刷，綿棒又はスプレーを使用することを特徴とする。
【発明の効果】
【０００９】
本発明の請求項１記載のペットに対する薬物や健康食品等の投与法によれば、ペットが薬物や健康食品を舐めることにより容易に投与が可能である。
【００１０】
本発明の請求項２記載のペットに対する薬物や健康食品等の投与法によれば、刷，綿棒又はスプレーを使用するので、ペットに容易に塗布及び散布することができる。
【発明を実施するための最良の形態】
【００１１】
以下、本発明について詳細に説明する。
【００１２】
本発明のペットに対する薬物や健康食品等の投与法は、ペットが身体を舐める習性を利用して、前記ペットの体表に薬物や健康食品等を塗布又は散布することにより前記薬物や健康食品等を投与する方法である。
【００１３】
一般に、犬や猫などの動物は体表を清潔に保つため、それを舐める習性がある。また、舐めた後吐き出すことは通常しないため、この習性を利用して体表に薬物や健康食品等を塗布したり散布することによって、ペットがそれを舐めることにより容易に薬物や健康食品等を投与することが可能である。
【００１４】
なお、本明細書において、ペットとは、体表を清潔に保つためそれを舐める習性を有する動物を指す。具体的には、例えば犬又は猫等が挙げられる。
【００１５】
また、本明細書において、体表とは、ペットが舐め得る場所であれば特に限定されず、例えばペットの足，指の間，腹等が挙げられ、特に犬については鼻頭が有効である。
【００１６】
さらに、本発明において、塗布する方法としては、例えば、刷，綿棒等を用いることができ、これに限定されるものではない。
【００１７】
また、本発明において、散布する方法としては、例えば、スプレー等を用いることができ、これに限定されるものではない。
【００１８】
ペットに投与される薬物や健康食品等の形状としては、好ましくは塗布や散布可能な液体や硬質または軟質ジェルタイプがよい。
【００１９】
薬物としては、例えば鎮痛薬，食欲減退薬，抗関節炎薬，抗菌物質，抗生物質，抗凝血薬，抗うつ薬，抗ヒスタミン薬，抗腫瘍薬，解熱薬，鎮痙薬，抗ウイルス薬，心臓脈管薬，避妊薬，利尿薬，排卵誘発剤，造血剤，ホルモン，緩下剤，副交感神経剤，副交感神経作用薬，精神刺激薬，鎮静薬，交感神経作用薬，抗炎症剤，刺激薬，精神安定剤，及びビタミン剤（ビタミンＢ，ビタミンＤ，ビタミンＡ，ビタミンＣ等）その他同様なもの等の薬物が挙げられる。
【００２０】
健康食品として、例えば、カルシウム，アミノ酸，プロポリス，及びアガリクス抽出液等が挙げられる。
【００２１】
以下、本発明の実施例により具体的に説明するが、本発明はこれらの実施例に限定されるものではない。
【実施例１】
【００２２】
中型犬１頭、小型犬１頭、猫４頭の計６頭に対して以下の実験を行った。
【００２３】
プロポリスのアルコール抽出物適量（中型犬には０.５ｍｌ、小型犬および猫には０.１ｍｌ）を刷で足、指の間、腹の３箇所に別々に投与した。
【００２４】
実験の結果、いずれの箇所も嫌がらずにきれいに舐めて経口投与された。
【産業上の利用可能性】
【００２５】
ペットが身体を舐める習性を利用して、前記ペットの体表に薬物や健康食品等を塗布又は散布することにより、容易にペットに前記薬物や健康食品等を投与することができる。